(57)【要約】【課題】従来品と比較してフック部に掛かっている物品を取り外しやすい物品支持具を提供する。【解決手段】本開示の一側面は物品支持具に関する。物品支持具１０は、被固定部（壁面Ｗ）に対して固定される固定部（吸盤１）と、固定部と連結されている一つのフック部３とを備え、フック部３が可撓性を有しており、フック部３に掛かっている物品（おたま８）を下方又は側方に引っ張ることによってフック部３が撓んで物品を取り外せるように構成されている。【選択図】図１
2018023708.tif 000002
【特許請求の範囲】
【請求項１】
被固定部に対して固定される固定部と、
前記固定部と連結されている一つ又は複数のフック部と、
を備え、
前記フック部が可撓性を有しており、前記フック部に掛かっている物品を下方又は側方に引っ張ることによって前記フック部が撓んで前記物品を取り外せるように構成されている、物品支持具。
【請求項２】
前記複数のフック部と前記固定部とを連結している連結部を更に備える、請求項１に記載の物品支持具。
【請求項３】
前記固定部と連結されている可撓性を有しない一つ又は複数のフック部を更に備える、請求項２に記載の物品支持具。
【請求項４】
被固定部に対して固定される固定部と、
前記固定部と連結される一つ又は複数のフック部と、
を含み、
前記フック部は、前記フック部に掛かっている物品を下方又は側方に引っ張ることによって前記フック部が撓んで前記物品を取り外せる可撓性を有する、キット。
【請求項５】
前記複数のフック部と前記固定部とを連結する連結部を更に含む、請求項４に記載のキット。
【発明の詳細な説明】
【技術分野】
【０００１】  本開示はフック部を備える物品支持具及びこれを組み立てるためのキットに関する。
【背景技術】
【０００２】  フック部を備える物品支持具は、玄関の壁に鍵を引っかけたり、キッチンやバスルームで使用するアイテムをその場にかけておいたりするのに使用されている。特許文献１に記載の物品固定具は、被着面（壁面）に対して突出するように設置される軸３ａと、この軸３ａの先端側に設けられた物を掛けるための凹形状２とを備える。
【先行技術文献】
【特許文献】
【０００３】
【特許文献１】特開２０１４−１１４９２０号公報
【発明の概要】
【発明が解決しようとする課題】
【０００４】  ところで、図５（ａ）に示すように従来の物品支持具５０として、釣り針のような形状（Ｊ字状）のフック部５３を有するものが知られている。フック部５３は、壁面Ｗに沿って上方から下方に延びる部分５３ａと、壁面Ｗから遠ざかる方向に延びている部分であって支持される物品（おたま８）が接する部分５３ｂと、この部分５３ｂから上方に延びておたま８を確実に保持するための部分（フック部の先端側部分５３ｃ）とを有する。おたま８は、柄８ａの上部に設けられた開口８ｂを介して物品支持具５０に掛けられている。従来の物品支持具５０からおたま８を取り外そうとするとき、ユーザーは図５（ｂ）に示す矢印の方向、すなわちフック部５３の先端側部分５３ｃに沿っておたま８を移動させる必要があった。【０００５】  本開示は、従来品と比較してフック部に掛かっている物品を取り外しやすい物品支持具及びこれを組み立てるためのキットを提供することを目的とする。
【課題を解決するための手段】
【０００６】  本開示の一側面は物品支持具に関する。この物品支持具は、被固定部に対して固定される固定部と、固定部と連結されている一つ又は複数のフック部とを備え、フック部が可撓性を有しており、フック部に掛かっている物品を下方又は側方に引っ張ることによってフック部が撓んで物品を取り外せるように構成されている。この物品支持具のフック部は所望の物品を支持できる程度の強度を有するとともに、フック部に掛かっている物品を下方又は側方に引っ張ることによってフック部がその方向に撓んで物品を取り外せる程度の可撓性を有する。この構成のフック部を採用したことで、図５に示すような従来品（フック部５３が金属製又はプラスチック製で可撓性を有しないもの）と比較してフック部に掛かっている物品を容易に取り外すことができる。【０００７】  複数の物品をそれぞれ近くに配置しておきたいというユーザーのニーズに応えるため、本開示に係る物品支持具は、複数のフック部と固定部とを連結している連結部を更に備えるものであってもよい。かかる構成を採用することで、連結部に複数のフック部を係合させることができ、各フック部に一つずつの物品を掛けることにより複数の物品をそれぞれ近くに配置しておくことができる。【０００８】  物品支持具に比較的重い物も掛けたいというニーズに応えるため、可撓性を有するフック部と可撓性を有しないフック部（例えば金属製又はプラスチック製）とを併用してもよい。つまり、本開示の物品支持具は、固定部に連結されている可撓性を有しない一つ又は複数のフック部を更に備えるものであってもよい。【０００９】  本開示の一側面は上記物品支持具を組み立てるためのキットに関する。このキットは、被固定部に対して固定される固定部と、固定部と連結される一つ又は複数のフック部とを含み、フック部はフック部に掛かっている物品を下方又は側方に引っ張ることによってフック部が撓んで物品を取り外せる可撓性を有する。このキットによれば、本開示に係る上記物品支持具をユーザー自らが組み立て、それを所望の位置に設置して使用することができる。複数の物品をそれぞれ近くに配置しておきたいというユーザーのニーズに応えるため、上記キットは複数のフック部と固定部とを連結する連結部を更に含むものであってもよい。
【発明の効果】
【００１０】  本開示によれば、従来品と比較し、フック部に掛かっている物品を取り外しやすい物品支持具及びこれを組み立てるためのキットが提供される。
【図面の簡単な説明】
【００１１】
【図１】図１（ａ）は本開示の第一実施形態に係る物品支持具におたまが掛けられている状態を示す斜視図であり、図１（ｂ）は図１（ａ）に示す物品支持具に掛けられたおたまが取り外される様子を示す斜視図である。
【図２】図２（ａ）は固定部の他の態様であるループ部を備える物品支持具を示す斜視図であり、図２（ｂ）及び図２（ｃ）は図２（ａ）に示す物品支持具を棒状部材（被固定部）に固定する過程を示す斜視図である。
【図３】図３（ａ）は他の態様のフック部を示す斜視図であり、図３（ｂ）は更に他の態様のフック部を示す断面図であり、図３（ｃ）は図３（ｂ）に示す物品支持具に支持された鍵が取り外される様子を示す断面図である。
【図４】図４は本開示の第二実施形態であって複数のフック部を備える物品支持具を示す斜視図である。
【図５】図５（ａ）は従来の物品支持具におたまが掛けられている状態を示す斜視図であり、図５（ｂ）は図５（ａ）に示す従来の物品支持具に掛けられたおたまが取り外される様子を示す斜視図である。
【発明を実施するための形態】
【００１２】  以下、本開示の実施形態について詳細に説明する。本発明は以下の実施形態に限定されるものではない。なお、以下の説明において、同一要素又は同一機能を有する要素には同一符号を用いることとし、重複する説明は省略する。
【００１３】＜第一実施形態＞
図１（ａ）に示す物品支持具１０は、壁面（被固定部）Ｗに対して固定される吸盤（固定部）１と、吸盤１と連結された一つのフック部３とを備える。Ｊ字状のフック部３は可撓性を有する材料からなり、図１（ｂ）に示すとおり、フック部３に掛かっているおたま（物品）８を下方に引っ張ることによってフック部３が下方に撓んでおたま８を取り外せるように構成されている。つまり、おたま８に加わった力が開口８ｂの内周面を介してフック部３に作用し、その力によってフック部３の先端部３ａが下方に向くようにフック部３が変形し、力をかけた方向（図１（ｂ）に示す矢印の方向）にそのままおたま８を取り外すことができる。おたま８のように柄８ａの上部にフック部３に掛ける箇所（開口８ｂ）があって所定の長さを有する物品をフック部３に掛ける場合、フック部３は必然的に比較的高い位置に設置されることが想定される。高い位置にあるフック部３に掛けられた物品を下方に引っ張ることで容易に取り外せることはユーザーの利便性向上に大きく貢献する。
【００１４】  物品支持具１０のフック部３は所望の物品（おたま８）を支持できる程度の強度を有するとともに、フック部３に掛かっている物品を下方に引っ張ることによってフック部３が下方に撓んで物品を取り外せる程度の可撓性を有する。このようなフック部３を採用したことで、物品支持具１０によれば図５に示す従来のものと比較してフック部３に掛かっている物品を容易に取り外すことができる。なお、物品を下方に引っ張ってフック部３から取り外した後、フック部３は元の形状に戻る。
【００１５】  物品支持具１０は固定部としての吸盤１を備える。吸盤１はタイルや鏡などの表面が十分に平坦であり且つ緻密な壁面Ｗに対して物品支持具１０を固定するのに有用である。一方、吸盤１は木材や壁紙などで構成される壁面Ｗに対しては不向きであるため、壁面Ｗの材質等によっては、固定部としてマグネット（永久磁石）や釘、画びょう、ボルト、粘着テープなどを採用してもよい。なお、例えば釘や画びょう、ボルトによってフック部３を被固定部に対して固定する場合、これらを貫通させるための孔（不図示）をフック部３に予め設けておいてもよい。本開示でいう固定部はこのような孔も包含するものである。
【００１６】  また、被固定部がフック部３を固定する機能を有するもの（例えば壁面に固定された洗濯バサミやクリップなど）である場合、図１に示すフック部３の基端部３ｂに吸盤やマグネット、釘、画びょう、ボルト、粘着テープなどを備えていなくてもよく、上記被固定部に固定するために必要な長さを基端部３ｂに設けてあればよい。本開示でいう固定部はこのような場合も包含するものである。
【００１７】  物品支持具を固定すべき対象（被固定部）は壁面Ｗに限定されるものではなく、例えば、バスルームのタオル掛けのような棒状部材が被固定部であってもよい。この場合、図２（ａ）に示す物品支持具２０は棒状部材Ｂに固定して使用できるように構成されたものである。物品支持具２０はフック部３の基端部３ｂ側に固定部としてのループ部１Ｒを備える。ループ部１Ｒはフック部３と同様、可撓性を有する材料からなる。この実施形態においては、固定部としてのループ部１Ｒとフック部３とが一体的に連結されている。図２（ｂ）に示すように棒状部材（被固定部）Ｂの上方に物品支持具２０を配置した後、ループ部１Ｒ内にフック部３の先端部３ａを通し、更に、フック部３の全体を下方に引っ張る。これにより、図２（ｃ）に示すように棒状部材Ｂに対して物品支持具２０を固定することができる。
【００１８】  また、被固定部が棒状部材や格子状の網である場合に物品支持具を固定して使用できるように構成されたものとして、固定部はこれらの被固定部に挟んで固定するもの（例えば、クリップや洗濯バサミなど）であってもよい。さらに、図１に示すフック部３の基端部３ｂでこれらの被固定部を覆った後、フック部３と基端部３ｂとを連結して被固定部に固定できる構造にしてもよい。より具体的には、例えばフック部３の基端部３ｂ側に固定部として一つ又は複数の孔とこの孔に連結させる一つ又は複数の突起部とを備えてもよい。この場合、フック部３の基端部３ｂが棒状部材や格子状の網を覆うようにした後、上記孔と上記突起部とを連結させる。これにより、棒状部材や格子状の網に対して本開示の物品支持具を固定することができる。さらに、上記孔と上記突起部の少なくとも一方を所定の間隔で複数設けた場合、上記孔とこれに連結させる上記突起部とを複数の中から適宜選択することにより、様々な太さの棒状部材や格子状の網に固定することができる。なお、上記孔と上記突起部の代わりにスナップボタンやマグネット、面ファスナー、結束バンドなどを用いたり、上記突起部の代わりにボタンや尾錠などを用いたりしてもよい。
【００１９】  なお、固定部による被固定部への固着強度が物品を取り外す際の衝撃に耐え得る限り、固定部として上に挙げたもの（吸盤、マグネット、釘、画びょう、ボルト、孔、粘着テープ、クリップ、洗濯バサミ、一つ又は複数の孔とこれに連結させる一つ又は複数の突起部、スナップボタン、ボタン、尾錠、面ファスナー、結束バンド及びループ部など）から一種を単独で使用してもよいし、二種以上を併用してもよい。また、被固定部が例えば棒状部材や格子状の網である場合、固定部はこれにフック部３又はこれを含む部材を引っ掛けることによってフック部３を棒状部材や格子状の網に対して固定できるものであってもよい。さらに、引っ掛ける際の固定部による被固定部への固着強度を高めるために、フック部３又はこれを含む部材に滑り止め加工（例えば、被固定部と接する部分を凸凹の形状にするなど）を施してもよい。
【００２０】  物品支持具１０のフック部３は、図１（ａ）に示すとおり、Ｊ字状であって略一定の太さからなる。フック部３の基端部３ｂが吸盤１の表面側の突起部１ａに設けられた貫通孔１ｂに挿入されて固定されている。本実施形態においては、貫通孔１ｂが吸盤１とフック部３との連結手段をなしている。フック部３は、上述のとおり、おたま８を支持できる程度の強度を有するとともに、フック部３に掛かっているおたま８を下方に引っ張ることによってフック部３が下方に撓んでおたま８を取り外せる程度の可撓性を有する。フック部３の材質としては、合成樹脂、合成繊維、シリコーン樹脂、ゴムなどを採用できる。より具体的には、ＡＢＳ樹脂（アクリロニトリル・ブタジエン・スチレン共重合合成樹脂）、ＡＳ樹脂（アクリロニトリル・スチレン共重合合成樹脂）、ポリ塩化ビニル、ポリスチレン、ＥＶＡ樹脂（エチレン・酢酸ビニル共重合合成樹脂）、ポリエチレン、ポリプロピレン、ポリエチレンテレフタレート、合成ゴム、天然ゴム、ジエン系ゴム、非ジエン系ゴム、熱可塑性エラストマーなどを採用できる。本開示の物品支持具がキッチンやバスルームで使用される場合、これらを採用することによって、フック部３に水分が付着しても劣化せず元の形状を十分に維持できる。また、これらの材料の種類や重合度を適宜選択したり、フック部３の形状（太さ及び長さなど）を適宜選択したりすることでフック部３の強度（フック部が支持可能な物品の質量）及び可撓性を調整することができる。物品の重さ（フック部３の耐荷重）の上限値は例えば７００ｇとすればよく、本発明者らの実測によるとフック部３が支持することが想定される物品（キッチンアイテム、バスアイテム、及び、玄関に配置される物品など）の多くは重さ５〜５００ｇの範囲内である。さらに、よく利用される物品の多くは重さ６０〜２８０ｇの範囲内である。
【００２１】  フック部３の太さは必ずしも略一定でなくてもよく、図３（ａ）に示すように、フック部３は比較的平たいフック部本体３ｃと、その内周側に設けられたリブ構造部３ｄとによって構成されていてもよい。リブ構造部３ｄを設けることでフック部３の強度及び意匠性を向上させることができる。また、フック部３の断面形状は、円形や凸字状（図１及び図３（ａ）参照）に限定されるものではなく、例えば楕円形、三角形、矩形、多角形、星形などであってもよい。さらに、フック部３の太さ（水平方向及び鉛直方向の径の長さ）は特に限定しないが、本発明者らの実測によると、キッチン用品がフック部３に掛かっている状態において、キッチン用品の柄の上部に設けられた開口の水平方向（床面に平行となる方向）の径の長さは多くが１３ｍｍ以下であることから、フック部３の先端部３ａから支持される物品が接する部分までのフック部３の太さ（水平方向の径の長さ）は１〜１２ｍｍであってもよい。また、フック部３は必ずしも合成樹脂、合成繊維、シリコーン樹脂、ゴム、ＡＢＳ樹脂、ＡＳ樹脂、ポリ塩化ビニル、ポリスチレン、ＥＶＡ樹脂、ポリエチレン、ポリプロピレン、ポリエチレンテレフタレート、合成ゴム、天然ゴム、ジエン系ゴム、非ジエン系ゴム、熱可塑性エラストマーからなるものではなくてもよく、例えば、金属又は樹脂材料等からなる短冊状の部材を、例えばＪ字状、円形又はコイル状に丸めた態様であってもよい。図３（ｂ）に示す態様は円形に丸められたフック部３の可撓性及び形状復元性を利用したものである。リング９ａを介してフック部３に掛かっている鍵（物品）９を下方に引っ張ることにより、図３（ｃ）に示すようにフック部３が下方に延びて鍵９を取り外すことができる。フック部３から鍵９を取り外した後は、フック部３は再び丸まって元の形状に戻る。なお、リング９ａの代わりに、ひも又はチェーンなどを介して鍵９をフック部３に掛けてもよい。
【００２２】＜第二実施形態＞
図４は、本開示の第二実施形態であって複数のフック部３を備える物品支持具３０を示す斜視図である。物品支持具３０は、５つのフック部３と、これらのフック部３が所定の間隔で横方向に並ぶように固定される連結棒（連結部）５と、連結棒５の両端に設けられた二つの吸盤１，１とを備える。各フック部３は連結棒５に対してプレート６とネジ７によって固定されている。プレート６はフック部３の基端部３ｂに対応する内面側に凹部を有し、この凹部と連結棒５の表面との間にフック部３が固定されている。
【００２３】  連結棒５に設けられた計５個のフック部３の一つずつに物品を掛けることにより計５つの物品をそれぞれ近くに配置しておくことができる。なお、物品支持具３０におけるフック部３の個数は複数である限り、５個に限定されず、２〜４個であってもよいし、６個以上であってもよい。例えば、物品支持具３０をキッチンで使用するのであれば、おたま、フライ返し、トング、はさみ及びおろし金などから選ばれるキッチン用品をフック部３に掛けておくことができる。これらとともに、あるいは、これらとは別に、塩、コショウなどの調味料を収容した一つ又は複数の容器（不図示）をフック部３に掛けられるようにしてもよい。フック部３に引っ掛けることができる部分（例えばループ部、開口部又はリング）を容器に設け、この容器に調味料を入れた状態でフック部３に掛けておくことで、調理中に手が油でベタベタであったり片手が塞がったりしていても、フック部３から容器を簡単に取り外して調味料を使用できるという利点がある。物品支持具３０をバスルームで使用するのであれば、ボディブラシ、ボディタオル、ボディスポンジ、かかとやすり（軽石）及び歯ブラシなどから選ばれるバスアイテムをフック部３に掛けておくことができる。
【００２４】  物品支持具３０に比較的重い物（例えば重さ７００ｇ超の物）も掛けたいというニーズに応えるため、可撓性を有するフック部３と可撓性を有しないフック部（例えば金属製又はプラスチック製）とを併用してもよい。物品支持具の使用場所がキッチンであれば例えば比較的重いフライパンや中華鍋を壁面に掛けておいたり、バスルームであればバスマットを壁面に掛けておきたいというニーズが想定される。例えば連結棒５における二つの吸盤１，１に対応する位置にそれぞれ可撓性を有しないフック部（不図示）を設けてもよい。可撓性を有しないフック部を特定の位置（ここでは吸盤１に対応する位置）に配置したり、その色や形状をフック部３の色や形状と変えたりするなどの工夫を施すことで可撓性を有するフック部３にユーザーが誤って重たい物を掛けてしまうことを防止できる。
【００２５】  以上、本開示の実施形態について詳細に説明したが、本発明は上述の物品支持具１０，２０，３０に限定されるものではない。例えば、物品支持具３０の固定部として、吸盤１の代わりに、第一実施形態において例示したマグネット、釘、画びょう、ボルト、粘着テープ、クリップ、洗濯バサミ、一つ又は複数の孔とこの孔に連結させる一つ又は複数の突起部、スナップボタン、面ファスナー、連結バンド、ボタン、尾錠、滑り止め加工及び孔、並びに棒状部材や格子状の網に引っ掛けることによって固定できる構造などを採用してもよい。また、連結棒５にフック部３を固定する手段として、図４に示すプレート６及びネジ７の代わりに図２（ａ）に示すループ部１Ｒや上記の一つ又は複数の孔とこの孔に連結させる一つ又は複数の突起部などを採用してもよい。複数のフック部３の配置は、図４に示す横方向に限定されず、縦方向であってもよいし、横方向及び縦方向の両方に並ぶように又はランダムに二次元的もしくは三次元的であってもよく、これらの配置に適した態様の連結部を適宜採用すればよい。
【００２６】  上記実施形態においては、フック部３に掛けられた物品（おたま８及び鍵９）を鉛直方向の下向きに引っ張ることによって取り外す場合を例示したが、物品を取り外す方向はこれに限られたものではない。すなわち、物品を取り外す方向は下方又は側方であればよく、より具体的には、斜め下方向であってもよいし、壁面Ｗから遠ざかる方向（手前方向）や壁面Ｗに沿った方向などの側方であってもよい。
【００２７】  フック部３の形状は、図１（ａ）に示すようなＪ字状の変形例として、Ｕ字状、Ｖ字状、カタカナのレの字状などであってもよい。また、意匠性の観点から、生物や無生物であってもよい。具体的には、人や動物（猿や猫、象など）、植物、乗り物（自動車、ショベルカーなど）、道具（キッチン用品や工具など）、食べ物（果物や野菜、菓子など）、記号（音楽記号、地図記号、星座記号など）、文字（平仮名、かたかな、漢字、アルファベット、数字など）などであってもよい。これらから一種を単独で選択した形状であってもよいし、二種以上を組み合わせてもよく、また、選択した形状の全部を模ってもよいし、その一部だけを模ってもよい。上に挙げた形状を模った本開示の物品支持具において、この形状の一部をフック部として、これとは別の一部を第一実施形態において例示した固定部としてもよい。より具体的には、例えば本開示の物品支持具が猿を模った形状の場合、猿の尻尾をフック部として、猿の腕を固定部としてもよいし、この逆であってもよい。
【００２８】  また、フック部３の全体が必ずしも可撓性を有する材料からなるものではなくてもよい。すなわち、物品を取り外すために物品に対して力が加わったときに、その力によってフック部３の先端部３ａがその力の方向に向くように変形すればよく、フック部３の可撓性がフック部３に部分的に設けられた可撓性を有する部位によってもたらされるものであってもよい。例えば、フック部３は基端部３ｂ側が可撓性を有しない材料からなり、残りの部分が可撓性を有する材料からなるものであってもよく、この逆であってもよい。より具体的には、フック部３がカタカナのレの字状であって、壁面Ｗに沿って上方から下方に延びる部分が可撓性を有しない材料からなり且つ壁面Ｗから遠ざかる方向に延びる部分が可能性を有する材料からなる場合、このフック部３に支持された物品は手前方向や壁面Ｗに沿った側方に引っ張ることによって容易に取り外すことができる。
【００２９】  本開示は、物品支持具１０，２０，３０及びこれらの変形例を組み立てるためのキット（不図示）を提供する。これらのキットは、物品支持具のパーツ（吸盤１、フック部３、連結棒５など）と、組立て方法を記載した説明書と、必要に応じて組立て用のネジ等と、これらを収容する容器とを備える。このようなキットによれば、上記実施形態及びこれらの変形例に係る物品支持具をユーザー自らが組み立て、それを所望の位置に設置して使用することができる。なお、組立て方法を記載した説明書を容器に収容する代わりに、組立て方法を容器（パッケージ）の表面にプリントしてもよい。また、当該キットは、調味料を入れた状態でフック部３に掛けておくことができる一つ又は複数の上記容器及び／又はキッチンアイテム（おたま、フライ返し、トング、はさみ及びおろし金など）を更に含むものであってもよく、あるいは、バスアイテム（ボディブラシ、ボディタオル、ボディスポンジ、かかとやすり及び歯ブラシなど）を更に含むものであってもよい。当該キットは、可撓性を有しない一つ又は複数の上記フック部を更に含むものであってもよい。
【符号の説明】
【００３０】１…吸盤（固定部）、１Ｒ…ループ部（固定部）、３…フック部、５…連結棒（連結部）、８…おたま（物品）、９…鍵（物品）、１０，２０，３０…物品支持具、Ｂ…棒状部材（被固定部）、Ｗ…壁面（被固定部）。
【図１】
2018023708.tif 000003
【図２】
2018023708.tif 000004
【図３】
2018023708.tif 000005
【図４】
2018023708.tif 000006
【図５】
2018023708.tif 000007